(57)【要約】【課題】従来、リモートコントロールカーをドリフト走行させるためには、特殊な操舵テクニック又はタイヤの外周面に平滑な合成樹脂系のパイプを被せたり、表面が平滑なテープ類を巻き付けたりして路面に対して滑り易くするとか或いは路面そのものを滑り易くするとかが必要であった。本発明は、グリップ走行とドリフト走行との両走行をタイヤの外周面にリングを嵌合することにより容易としたものである。特に、ドリフト走行を様々な路面及び様々な場所で可能としたものである。【解決手段】タイヤ本体の環状体外表面の円周方向に環状溝を形成し、該環状溝に該環状体とは異なる材質又は／及び形状のリングを嵌入し、該リングを環状体の外表面と同レベルかそれより突出形成してなることを特徴とするドリフト用タイヤ。【選択図】図１
2005132339.tif 000002
【特許請求の範囲】
【請求項１】
タイヤ本体の環状体外表面の円周方向に環状溝を形成し、該環状溝に該環状体とは異なる材質又は／及び形状のリングを嵌入し、該リングを環状体の外表面と同レベルかそれより突出形成してなることを特徴とするドリフト用タイヤ。
【請求項２】
環状体をゴム系材料とし、リングを合成樹脂系材料としたことを特徴とする請求項１に記載のドリフト用タイヤ。
【請求項３】
環状体を合成樹脂系材料とし、リングをゴム系材料としたことを特徴とする請求項１に記載のドリフト用タイヤ。
【請求項４】
環状体を軟質のゴム系材料とし、リングを硬質のゴム系材料としたことを特徴とする請求項１に記載のドリフト用タイヤ。
【請求項５】
環状体を硬質のゴム系材料とし、リングを軟質のゴム系材料としたことを特徴とする請求項１に記載のドリフト用タイヤ。
【請求項６】
環状体をゴム系材料とし、リングを金属系材料としたことを特徴とする請求項１に記載のドリフト用タイヤ。
【請求項７】
リングを合成樹脂系材料、ゴム系材料又は金属系材料の適数個とし、それらを適宜組み合わせたことを特徴とする請求項１に記載のドリフト用タイヤ。
【請求項８】
請求項１ないし７のいずれかのドリフト用タイヤを車の前輪と後輪又は後輪のみに装着してなることを特徴とするリモートコントロールカー。
【発明の詳細な説明】
【技術分野】
【０００１】
本発明は、ラジオコントロールカーで代表されるリモートコントロールカーに関し、特にドリフト走行を容易に行なうことを可能としたドリフト用タイヤ及びそのタイヤを装着したリモートコントロールカーである。
【背景技術】
【０００２】
通常、リモートコントロールカーの走行は、グリップ走行させることが主体であり、安定走行及びスピードを競うことが主目的であった。従って、使用されるタイヤは様々な路面とのグリップ力を高めるために、その外表面に各種形状の凹凸を形成したり、グリップし易い材料を選択している。
【特許文献１】特開平７−３９６５２号公報
【発明の開示】
【発明が解決しようとする課題】
【０００３】
上記のように従来のリモートコントロールカーにおけるタイヤはグリップ走行を行なうためのもので、路面とのグリップ状態を向上させる技術の開発であり、ドリフト走行を前提としたタイヤの技術開発はなかった。
【０００４】
従って、ドリフト走行させるためには、操縦者の操舵によりタイヤを滑らせる方向へ角度を変えて行なうことになるが、タイヤ自体が上記したようにグリップ走行するためのものであり、路面との摩擦力が働き、操縦者の意図するようなドリフト走行はできず、車輌が転倒する事態も生じた。そのため、タイヤの外周面に平滑な合成樹脂系のパイプを被せたり、表面が平滑なテープ類を巻き付けたりして路面に対して滑り易くすることも行なわれているが、パイプの場合は、装着が難しく、テープ類の場合はタイヤより簡単に脱落することも多かった。更に、走行路面そのものを滑り易くするために、該路面をＰタイルとしたり、ワックスを塗る等が行なわれているが、路面を限られた特定のものとしなければならない難点があった。
【課題を解決するための手段】
【０００５】
本発明は、上記グリップ走行を主体とするものではなく、ドリフト走行を楽しむためのタイヤを提供するもので、リモートコントロールカーの前輪と後輪、或いは後輪のみに本発明のタイヤを装着することにより、通常の走行の他、ドリフト走行を楽しむことのできるドリフト用タイヤ及びそのタイヤを装着したリモートコントロールカーを提供するものである。
具体的には、タイヤ本体の環状体外表面の円周方向に環状溝を形成し、該環状溝に該環状体とは異なる材質又は／及び形状のリングを嵌入し、該リングを環状体の外表面と同レベルかそれより突出形成したドリフト用タイヤを特徴とする。
【０００６】
また、上記環状体をゴム系材料とし、リングを合成樹脂系材料としたドリフト用タイヤを特徴とする。
【０００７】
更に、上記環状体を合成樹脂系材料とし、リングをゴム系材料としたドリフト用タイヤを特徴とする。
【０００８】
また、上記環状体を軟質のゴム系材料とし、リングを硬質のゴム系材料としたドリフト用タイヤを特徴とする。
【０００９】
更に、上記環状体を硬質のゴム系材料とし、リングを軟質のゴム系材料としたドリフト用タイヤを特徴とする。
【００１０】
また、上記環状体をゴム系材料とし、リングを金属系材料としたドリフト用タイヤを特徴とする。
【００１１】
更に、リングを合成樹脂系材料、ゴム系材料又は金属系材料の適数個とし、それらを適宜組み合わせたドリフト用タイヤを特徴とする。
【００１２】
また、上記各種のドリフト用タイヤを車の前輪と後輪又は後輪のみに装着したリモートコントロールカーを特徴とする。
【発明の効果】
【００１３】
本発明のドリフト用タイヤは、リングを環状体の外表面の環状溝に嵌入しても、該リング或いはリングを含めた環状体により円周方向への走行に対する路面とのグリップ力を保持できると同時に、タイヤを横方向に向けて操舵した場合、路面とのグリップ力はほぼリングが主体となり、そのグリップ力を大幅に減少させることができ、横すべり現象を生じさせることになる。従って、通常の直線走行はもとより、コーナーでのドリフト走行や狭い場所を含め様々な場所でのドリフト走行を楽しむことを可能とした。
【００１４】
また、タイヤ外表面に嵌入するリングの本数及び種類並びに環状体の種類を適宜選択することにより、ドリフト走行への移行の難易を適宜選べることを可能としている。それは、路面の状態を確認し、使用者が自由に選択することができ、その良否によって異なる結果が得られることとなり、使用者にとって遊技を楽しむ巾が大幅に増加することを可能とした。
【００１５】
更に、本発明のドリフト用タイヤは、リモートコントロールカーの前輪と後輪又は後輪のみに装着することができ、その装着や交換は簡単に行なえ、且つそれにより車のドリフトする状態を変えることも可能となった。
【発明を実施するための最良の形態】
【００１６】
以下、本発明に係わるドリフト走行を容易としたリモートコントロールカーに適用するタイヤを実施例に基づいて説明する。
【実施例１】
【００１７】
図１は、本発明のドリフト用タイヤを分解した斜視図、図２は、それらを組み立てた斜視図及び図３は同じく一部断面側面図を示している。
１はタイヤ本体を示し、２は該タイヤ本体１の外周面となる環状体、３は該環状体２の外表面に形成した環状溝、４は該環状溝３に嵌め込まれるリング及び５はホイールを示している。
【００１８】
該環状体２は、タイヤの材料として通常使用されているゴム系の筒状体で、環状の外周体６と、該外周体６の両側縁部より内側へ折り曲げたフランジ７、７及び該外周体６の外表面の円周方向に形成した環状溝３、３・とより構成している。上記環状溝３、３・は、タイヤ本体１の巾、路面状態、リモートコントロールカーの重さや大きさ等により形成本数が選択される。本実施例１の図面では3本のものを示しているが、１本或いは２本でもよい。
【００１９】
上記環状溝３、３・には、各々リング４、４・が嵌め込まれる。該リング４、４・の縦断面は、上方部の両端部を曲面形状とし、下方部は環状溝３、３・に嵌め込み、脱落しない形状のものを採用する。側面部は、テ−パ状に形成すると嵌合力は向上するがこれに限定されるものではない。該リング４、４・の下方部及び側面部となる円周壁８が環状溝３の底部９及び側壁１０に密着するように嵌合する。上記リング４、４・の材質は、合成樹脂系又は金属系或いは該環状体２とは硬度或いは材質の異なるゴム系のものを使用する。ゴム系のリングの場合は、環状体２の材質より高硬度のもの或いは逆の状態のものを使用する。金属系としてはステンレス、鋼板或いはそれらを主とした合金等を使用する。
また、該リングの上方部となる外周面は平滑或いはラジアルタイヤ状の模様を形成したもの等の適宜なものを採用することが可能である。
【００２０】
上記リング４、４・を環状溝３、３・に嵌め込むには、まず環状体２をホイール５の外周部に嵌着し、その後、該環状溝３、３・に上記リング４、４・を嵌め込むことになる。リングは薄い部材であり、且つ環状体２には弾力性があるので、嵌着された環状体２の環状溝３、３・に嵌め込むことが可能となる。また、異なる材質及び異なる外周面形状のリング４、４・をいくつか用意しておくことにより、様々な車種及び様々な路面状態或いは遊技の対応に応じて自由に選択することができる。
【００２１】
上記のように、リング４、４・を環状溝３、３・に嵌め込むことになるが、環状体２の外表面とリング４、４・外表面とが同レベルの場合、環状体２の路面との接地面が環状体２のゴム系材質面とリング４、４・の外周面となり、環状体２のグリップ力は両者で行なわれるが、そのグリップ力は該リング４、４・により調整できることになる。例えば、リング４、４・の本数及びその材質の組み合わせにより様々なグリップ力の状態を得ることができる。また、それらタイヤ本体１をリモートコントロールカーに装着することによりドリフト走行の難易を選択することが可能となる。
【００２２】
図３に示している一部断面側面図のものは、該リング４、４・を環状体２の表面より突出させている。該突出高さＡは、適宜のものが選択できるが、約０．１ｍｍ〜１．０ｍｍ程度が適切である。この突出により、環状体２の接地面とのグリップ力は、その突出したリング４、４・の外周接地面の総和となり、該リング４、４・によりグリップ力を適宜選択することができ、ドリフト走行の難易を選ぶことができる。
【００２３】
上記構成により、環状体２のグリップ力を該環状体の外周面及び／又はリングの接地面により調整することができ、本実施例１のタイヤを使用したリモートコントロールカーであれば、ドリフト走行を操舵することが可能となった。例えば、前輪と後輪に上記ドリフト用タイヤを装着すれば、前輪の操舵によりリモートコントロールカーを横方向へ滑動させることができ、ドリフト走行を可能とする。後輪のみにドリフト用タイヤを装着して、ドリフト用リモートコントロールカーとすることもできる。
【実施例２】
【００２４】
本発明の実施例２は、環状体を合成樹脂系の筒状体とし、該環状体表面の円周方向に適数個の環状溝を形成する。上記環状溝に、各々ゴム系のリングを密着状態で嵌め込むものである。
上記リングを該環状溝に嵌め込むには、合成樹脂系の環状体に弾力性のある該リングを伸ばして輪を大きくすることにより該環状溝に容易に嵌合することができる。
【実施例３】
【００２５】
図４は、上記実施例１、２同様、本発明に係わるドリフト用タイヤを分解した斜視図、図５は、それらを組み立てた斜視図及び図６は同じく一部断面側面図を示している。
【００２６】
タイヤ本体１１は、上記実施例２と同様の合成樹脂系で、外周面となる環状体１２、該環状体１２の縁部の内側折り曲げ部１３、該内側折り曲げ部１３と連続した内側補強部材１４、該内側補強部材１４の前面側のディスク１５及び該環状体１２の外表面の円周方向に形成した環状溝１６、１６・並びに上記環状溝１６、１６・に密着状態で嵌め込まれたゴム系のリング１７、１７・とより構成している。
【００２７】
上記環状体１２は、それに連続して該環状体１２の端縁部より内側へ折り曲げて内側折り曲げ部１３を形成する。更に、該内側折り曲げ部１３の先端縁側に内側補強部材１４を連続形成する。タイヤ本体１１には、ディスク１５側表面部１８が形成される。
上記環状体１２、内側折り曲げ部１３及び内側補強部材１４は、合成樹脂系材料で一体成型することが可能である。また、該内側折り曲げ部１３、内側補強部材１４を省き、環状体１２とディスク１５とを一体成型して形成することも可能である。これにより、実施例１の場合のように、ホイール５に環状体２を嵌め込む工程が必要なくなった。
【００２８】
該表面部１８にはディスク１５が配設されることになるが、別体として形成されたディスク１５は、内側補強部材１４に形成した取付孔１９へ反対側から取着部材２０を貫通させて取着することにより容易に着脱自在に装着することができる。従って、ディスク１５の交換を簡単に行なうことができ、それによりタイヤの外観に変化を与えることができる。
通常、ディスクの交換にはホイール部分の交換作業が生じ、そのためには相当な労力を必要としていたが、本実施例３のものは簡単且つ低コストで交換が可能となった。
なお、該ディスク１５の取着手段は、上記の他、嵌着や貼着等適宜手段を選択することができる。
【００２９】
実施例１のように、ゴム系の材料で形成した環状体とは異なり、合成樹脂系材料により環状体を形成することになるので、路面とのグリップ力は極端に低下する。従って、走行時にタイヤのスリップを誘発することになり、これはドリフト状態を再現するには良好なこととなる。しかし、合成樹脂系材料のみではグリップ力が低すぎ、直進性及びコントロール性が極めて悪く、グリップ力を確保する必要性が生じる。
上記環状溝１６、１６・に嵌入されたリング１７、１７・は、ゴム系材料のため、グリップ力を上昇させる機能を有することになり、上記直進性及びコントロール性を改善することができる。該リング１７、１７・の装着本数、巾、表面の模様及び材質等を適宜選択することにより段階的にグリップ力の調整を行なうことが可能となる。
【００３０】
該リング１７、１７・は、上記実施例１、２と同様、タイヤ本体１１の環状体１２の外表面より突出させることにより、接地面とのグリップ力をリング１７、１７・の接地面が分担することになり、ゴム系材料による接地面との摩擦力で、グリップの効果を増加させることが出来る。また、環状体１２が合成樹脂系材料のため、走行中に路面との接地面より不自然且つ不快な大きな音を発生するが、環状体１２より突出したゴム系リング１７が路面との接地音を和らげ、音を小さくする効果を発揮することができる。
【実施例４】
【００３１】
図７（ａ）は、ドリフト用タイヤを分解した他の実施例の斜視図を示している。
タイヤ本体２１は、該タイヤ本体２１の外周面となる環状体２２、該環状体２２の外表面に形成した環状溝２３、該環状溝２３の両端部に形成した環状の外周体２４、該環状溝２３に嵌め込まれるリング２５及びホイール２６とにより構成している。
【００３２】
該環状体２２は、上記実施例１と同様のゴム系の筒状体が使用される。タイヤ本体２１の外周体２４、２４間には幅広の１個の環状溝２３が形成され、該環状溝２３には本実施例では両外周体２４、２４間の幅を有する幅広の１本のリング２５とされ、該環状溝２３に嵌め込まれる。
該リング２５の材質は、合成樹脂系又は金属系或いは硬質のゴム系が使用される。
【００３３】
該リング２５は、ゴム系の筒状体よりなる環状体２２の弾力性を利用して外周体２４を通過させ、環状溝２３に嵌め込むことが可能である。
【００３４】
図７（ｂ）は、上記ドリフト用タイヤを組み立てた一部切欠斜視図を示している。装着された幅広リング２５の外表面は、外周体２４、２４の外表面と同レベルか突出状態となるように組み立てられる。上記構成のタイヤ本体２１を実施例１と同様のリモートコントロールカーの車輪として使用することにより、ドリフト走行用リモートコントロールカーを得ることが可能となる。
【００３５】
本実施例４のものは、上記実施例１ないし３のものと比較してリング２５を幅の狭い環状溝に嵌め込む作業がなくなり、リング２５の嵌着し易いタイヤ本体２１を得ることができる。
【実施例５】
【００３６】
図８（ａ）は、ドリフト用タイヤを分解した他の実施例の斜視図を示している。
タイヤ本体２７、該タイヤ本体２７の外周面となる環状体２８、該環状体２８の外表面に形成した環状溝２９、該環状溝２９の両端部に形成した環状の外周体３０、該環状溝２９に嵌め込まれるリング３１及びホイール３２とにより構成している。
【００３７】
実施例４と同様、外周体３０、３０間には幅広の１個の環状溝２９が形成され、該環状溝２９には本実施例では３本のリング３１を並べて嵌合する。該リング３１は、相互がその側面で密着し、両端側面は該外周体３０、３０の内側面と密着することになる。従って、３本のリング３１が一体となったものとして嵌合される。
【００３８】
図８（ａ）に示すリング３１、３１・の材質は、左右に位置するリング３１、３１は合成樹脂系又は金属系のものが使用され、中央に位置するリング３１は、ゴム系のものが使用される。
上記リング３１、３１・は、ゴム系の筒状体よりなる環状体２８の弾力性を利用して外周体３０を通過させ、環状溝２９に嵌め込むことが可能である。
【００３９】
上記左右のリング３１、３１は、その外表面を平滑面としているが、中央のゴム系リング３１は、その外表面の中央部が凸部となる環状突起３３を形成し、接地面とのグリップ力が過大となることを防止し、グリップ力を調整している。
図８（ｂ）は、上記ドリフト用タイヤを組み立てた一部切欠斜視図を示している。
【００４０】
装着された３本のリング３１、３１・の外表面は、外周体３０、３０の外表面と同レベルか突出状態となるように組み立てする。
上記構成のタイヤ本体２７を上記同様、リモートコントロールカーの車輪として使用することにより、ドリフト走行用リモートコントロールカーを得ることが可能となる。
【実施例６】
【００４１】
図９は、ドリフト用タイヤを分解した他の実施例の斜視図を示し、該ドリフト用タイヤは、上記実施例５と同様、タイヤ本体３４、該タイヤ本体３４の外周面となる環状体３５、該環状体３５の外表面に形成した環状溝３６、該環状溝３６の両端部に形成した環状の外周体３７及び該環状溝３６に嵌め込まれるリング３８とより構成している。
【００４２】
本実施例のリング３８は３本とし、それらを並べて側面相互を密着して環状溝３６に嵌合するが、左右に位置するリング３８、３８はゴム系のものが使用され、中央に位置するリング３８は、合成樹脂系又は金属系のものが使用される。
【００４３】
該左右のリング３８、３８は、その外表面の中央部が凸部となる環状突起３９を形成し、中央のリング３８の外表面は平滑面に形成している。装着された３本のリング３８、３８・の外表面と外周体３７、３７の突出位置関係は、上記実施例５と同様である。接地面とのグリップ力の異なる外表面を有する適数個のリング３８、３８・を環状溝３６へ装着することにより、上記他の実施例５とは異なったドリフト状態を生じさせるタイヤ本体３４を得ることが可能となった。
【実施例７】
【００４４】
図１０は、ドリフト用タイヤを組み立てた他の実施例の斜視図を示し、該ドリフト用タイヤは、上記実施例５、６と同様、タイヤ本体４０の幅広の環状溝にゴム系リング４１、４１の２本を並べて装着し、そのいずれか側に合成樹脂系又は金属系の外表面を平滑としたリング４１を装着している。装着された３本のリング４１、４１・の外表面と環状溝の両外周体との突出位置関係は、上記実施例５、６と同様である。
【実施例８】
【００４５】
図１１は、ドリフト用タイヤを組み立てた他の実施例の斜視図を示し、該ドリフト用タイヤは、タイヤ本体４２の幅広の環状溝に合成樹脂系又は金属系の外表面を平滑としたリング４３、４３の２本を並べて装着し、そのいずれか側にゴム系リング４３を装着している。装着された３本のリング４３、４３・の外表面と環状溝の両外周体との突出位置関係は、上記実施例５、６、７と同様である。
【００４６】
上記実施例６ないし８のリングは、環状溝の幅及び１本のリングの幅が同一であれば必要に応じてその装着位置を適宜取り替えるのみでタイヤ本体全体を替えることなく異なったドリフト状態のリモートコントロールカーを得ることが可能となる。
【００４７】
また、上記実施例において、ゴム系リングの外表面を中央部が凸部となる環状突起のものが使用されるとしたが、該凸部は接地面とのグリップ力の調整を目的としているので、当該形状は断面台形状のもの或いは内側面と同一又はほぼ同一の幅を有する平面状のものであってもよいことは言うまでもない。
【００４８】
更に、上記ゴム系リングの材質は、ゴムのみよりなる材質の他、ゴムに合成樹脂等の他の物質を混合して製造したものも含めた概念であり、且つ上記のようにグリップ力の調整を目的としているので軟質のもの或いは硬質のものにより、そのグリップ力に差が生じ、利用者はそれらを必要に応じて使い分け使用することができる。
【００４９】
従って、リングの形状や材質を適宜組み合わせて使用することにより、グリップ力を調整することができ、該選択したリングを装着したドリフト用タイヤをリモートコントロールカーの車輪として使用することにより、様々の異なったドリフト状態を得ることのできるドリフト走行用リモートコントロールカーを得ることが可能となった。
【図面の簡単な説明】
【００５０】
【図１】本発明のドリフト用タイヤの分解斜視図。
【図２】本発明のドリフト用タイヤを組み立てた後の一部切欠斜視図。
【図３】本発明のドリフト用タイヤの一部断面側面図。
【図４】本発明のドリフト用タイヤの他の実施例の分解斜視図。
【図５】本発明のドリフト用タイヤを組み立てた後の他の実施例の一部切欠斜視図。
【図６】本発明のドリフト用タイヤの他の実施例の一部断面側面図。
【図７（ａ）】本発明のドリフト用タイヤの他の実施例の分解斜視図。
【図７（ｂ）】上記ドリフト用タイヤを組み立てた後の一部切欠斜視図。
【図８（ａ）】本発明のドリフト用タイヤの他の実施例の分解斜視図。
【図８（ｂ）】上記ドリフト用タイヤを組み立てた後の一部切欠斜視図。
【図９】本発明のドリフト用タイヤの他の実施例の分解斜視図。
【図１０】本発明のドリフト用タイヤを組み立てた後の他の実施例の斜視図。
【図１１】本発明のドリフト用タイヤを組み立てた後の他の実施例の斜視図。
【符号の説明】
【００５１】
１、１１、２１、２７、３４、４０、４２     タイヤ本体
２、１２、２２、２８、３５                 環状体
３、１６、２３、２９、３６                 環状溝
４、１７、２５、３１、３８、４１、４３     リング
５、２６、３２                             ホイール
６、２４、３０、３７                       外周体
７                                         フランジ
８                                         内側円周壁
９                                         底部
１０                                         側壁
１３                                         内側折り曲げ部
１４                                         内側補強部材
１５                                         ディスク
１８                                         表面部
１９                                         取付孔
２０                                         取着部材
３３、３９                                   環状突起
【図１】
2005132339.tif 000003
【図２】
2005132339.tif 000004
【図３】
2005132339.tif 000005
【図４】
2005132339.tif 000006
【図５】
2005132339.tif 000007
【図６】
2005132339.tif 000008
【図７（ａ）】
2005132339.tif 000009
【図７（ｂ）】
2005132339.tif 000010
【図８（ａ）】
2005132339.tif 000011
【図８（ｂ）】
2005132339.tif 000012
【図９】
2005132339.tif 000013
【図１０】
2005132339.tif 000014
【図１１】
2005132339.tif 000015